(57)【要約】【課題】ブラウザが過去に表示したページのＵＲＬを取得するブラウザ閲覧履歴取得装置において、ユーザのＰＣに特別なソフトウェアを導入せずに、また、特定のサーバのページまたは特定の端末からのアクセスという制約がないブラウザ閲覧履歴取得装置、ブラウザ閲覧履歴取得方法、プログラム、記録媒体を提供することを目的とする。【解決手段】ブラウザが過去に表示したページのＵＲＬを取得するブラウザ閲覧履歴取得装置において、複数のＵＲＬを記憶する記憶手段と、上記記憶されているＵＲＬをリンク先として記述したＨＴＭＬ文書を、ブラウザ上に表示させ、また、過去に表示したリンク先を所定の表示スタイルで表示させる表示制御手段と、各リンク先の表示スタイルを判定することによって、上記記憶されている複数のＵＲＬのうちで、過去に表示したＵＲＬを抽出するＵＲＬ抽出手段とを有するブラウザ閲覧履歴取得装置である。【選択図】図１
2009116490.tif 000002
【特許請求の範囲】
【請求項１】
ブラウザが過去に表示したページのＵＲＬを取得するブラウザ閲覧履歴取得装置において、
複数のＵＲＬを記憶する記憶手段と；
上記記憶されているＵＲＬをリンク先として記述したＨＴＭＬ文書を、ブラウザ上に表示させ、また、過去に表示したリンク先を所定の表示スタイルで表示させる表示制御手段と；
各リンク先の表示スタイルを判定することによって、上記記憶されている複数のＵＲＬのうちで、過去に表示したＵＲＬを抽出するＵＲＬ抽出手段と；
を有することを特徴とするブラウザ閲覧履歴取得装置。
【請求項２】
請求項１において、
上記ＵＲＬ抽出手段は、抽出されたＵＲＬのページに記述されているリンクのＵＲＬについて、各リンク先の表示スタイルを判定することによって、当該ブラウザで過去に閲覧されたＵＲＬよりも多くのＵＲＬを抽出する手段であることを特徴とするブラウザ閲覧履歴取得装置。
【請求項３】
請求項１において、
上記記憶手段に最初に記憶する複数のＵＲＬは、複数のブラウザでスタートページとして登録されているポータルサイトのトップページに記述されているリンクのＵＲＬであることを特徴とするブラウザ閲覧履歴取得装置。
【請求項４】
ブラウザが過去に表示したページのＵＲＬを取得するブラウザ閲覧履歴取得方法において、
複数のＵＲＬを記憶手段に記憶する記憶工程と；
上記記憶されているＵＲＬをリンク先として記述したＨＴＭＬ文書を、表示制御手段が、ブラウザ上に表示させ、また、過去に表示したリンク先を所定の表示スタイルで表示させる表示制御工程と；
ＵＲＬ抽出手段が、各リンク先の表示スタイルを判定することによって、上記記憶されている複数のＵＲＬのうちで、過去に表示したＵＲＬを抽出し、記憶装置に記憶するＵＲＬ抽出工程と；
を有することを特徴とするブラウザ閲覧履歴取得方法。
【請求項５】
請求項４において、
上記ＵＲＬ抽出工程は、抽出されたＵＲＬのページに記述されているリンクのＵＲＬについて、各リンク先の表示スタイルを判定することによって、当該ブラウザで過去に閲覧されたＵＲＬよりも多くのＵＲＬを抽出する工程であることを特徴とするブラウザ閲覧履歴取得方法。
【請求項６】
請求項４において、
上記記憶工程で最初に記憶する複数のＵＲＬは、複数のブラウザでスタートページとして登録されているポータルサイトのトップページに記述されているリンクのＵＲＬであることを特徴とするブラウザ閲覧履歴取得方法。
【請求項７】
請求項１〜請求項３のいずれか１項記載のブラウザ閲覧履歴取得装置を構成する各手段としてコンピュータを機能させるプログラム。
【請求項８】
請求項７記載のプログラムを記録したコンピュータ読取可能な記録媒体。
【発明の詳細な説明】
【技術分野】
【０００１】
本発明は、ブラウザを用いてウェブ閲覧しているユーザの興味分野を推定するために、上記ブラウザで過去に閲覧したページのＵＲＬを取得する装置、方法、プログラム、記録媒体に関する。
【背景技術】
【０００２】
ユーザが閲覧したページを知る方法としては、次のものが知られている。
【０００３】
所定のサーバ上のページに対する閲覧の有無を知る場合、当該サーバのアクセスログを参照すれば、上記サーバ上のページに対する閲覧の有無を容易に判定することができる。典型的なアクセスログは、次の形式で保存される。
【０００４】
１２７．０．０．１−ｆｒａｎｋ［１０／Ｏｃｔ／２０００：１３：５５：３６］“ＧＥＴ／ｉｎｄｅｘ／ｈｔｍｌ  ＨＴＴＰ／１．０”２００  ２３２６。
【０００５】
ここで、上記「１２７．０．０．１」は、アクセス元端末のＩＰアドレスであり、上記「ｆｒａｎｋ」は、ユーザ名であり、上記「／ｉｎｄｅｘ／ｈｔｍｌ」は、アクセス先のページである。
【０００６】
特定のＩＰアドレスに基づいて、アクセスされているページを集計することによって、特定のＩＰアドレスを持つユーザが、どのページを閲覧したかを判定することができる。ただし、この場合、上記判定対象であるページは、自らの管理下にあるサーバ上のページに制限され、それ以外のサーバのページについては、閲覧の有無を判定することができない。また、当該サーバから閲覧履歴取得サーバへ、集計結果を転送することが必要である。
【０００７】
図１２は、従来のブラウザ閲覧履歴取得装置５００を示すブロック図である。
【０００８】
図１２に示す従来例では、ＬＡＮ１０上の端末１１〜１３が、ゲートウェイサーバを介して、ＷＡＮ２０に接続され、ＷＡＮ２０上のウェブサーバ１〜３にアクセスすることができる。ＷＡＮ２０上の端末２１〜２３からは、ウェブサーバ１〜３に直接アクセスできる。
【０００９】
図１２に示す例では、ウェブサーバ１が、自らの管理下にあり、集計結果を履歴取得サーバへ転送する。一方、自らの管理下にないウェブサーバ２、ウェブサーバ３については、アクセスログを集計することができないので、これらのサーバ上にあるページの閲覧の有無を判定することができない。この場合、閲覧履歴取得サーバ４で取得できるのは、ウェブサーバ１上のページへのアクセスに限られる。
【００１０】
ページの制約をなくし、閲覧履歴を取得するには、ユーザの端末に特別なソフトウェアをインストールし、端末の操作をモニタする方法が知られている（たとえば、非特許文献１参照）。
【００１１】
この従来方法では、ユーザが当該ソフトウェアを取得し、各人が使用する端末へインストールする手間が必要であるので、適用対象に制約があるという問題がある。
【００１２】
また、当該端末から閲覧履歴取得サーバ４へ集計結果の転送が必要であるので、この転送作業が煩雑であるという問題がある。
【００１３】
図１３は、従来のブラウザ閲覧履歴取得装置６００を示すブロック図である。
【００１４】
従来のブラウザ閲覧履歴取得装置６００は、端末１１と端末２１とに、ソフトウェアがインストールされ、これらの端末１１、１２の操作内容は、履歴取得サーバ４へ転送される。一方、当該ソフトウェアがインストールされていないその他の端末からは、そのページの閲覧の有無を判定することができない。この場合、閲覧履歴取得サーバ４で取得できるのは、端末１１と端末２１とから取得したウェブサーバ上のページへの全てのアクセスに限られる。
【００１５】
ページの制約がなく、閲覧履歴を取得するもう１つの方法として、アクセス元端末が属するネットワークの外部ネットワークとのゲートウェイサーバ上の情報をモニタする方法が知られている。
【００１６】
この場合も、上記アクセスログと同様の情報を、ゲートウェイサーバにおいて取得できる。当該ネットワークに属する端末では、特別なソフトウェアをインストールする必要はない。しかし、当然、当該ネットワークに接続されているアクセス元端末以外からの履歴を取得することができない。また、当該ゲートウェイサーバから閲覧履歴取得サーバ４へ集計結果の転送が必要であるので、上記転送作業が煩雑であるという問題がある。
【非特許文献１】森田哲之、日高哲雄、田中明通、加藤泰久著「記憶想起支援ツール『Memory-Retriever』」インタラクション２００７予稿集、情報処理学会、２００７
【発明の開示】
【発明が解決しようとする課題】
【００１７】
図１４は、従来のブラウザ閲覧履歴取得装置７００を示すブロック図である。
【００１８】
従来のブラウザ閲覧履歴取得装置７００では、ゲートウェイサーバにおける集計結果を履歴取得サーバ４へ転送する。この場合、閲覧履歴取得サーバ４で取得できるのは、ＬＡＮ１０上の端末から受け取ったウェブサーバ上のページへの全てのアクセスに限られる。
【００１９】
つまり、上記従来例では、ユーザのＰＣに特別なソフトウェアを導入する必要があるという問題があり、また、特定のサーバのページまたは特定の端末からのアクセスという制約があるという問題がある。
【００２０】
本発明は、ブラウザが過去に表示したページのＵＲＬを取得するブラウザ閲覧履歴取得装置において、ユーザのＰＣに特別なソフトウェアを導入せずに、また、特定のサーバのページまたは特定の端末からのアクセスという制約がないブラウザ閲覧履歴取得装置、ブラウザ閲覧履歴取得方法、プログラム、記録媒体を提供することを目的とする。
【課題を解決するための手段】
【００２１】
本発明は、ブラウザが過去に表示したページのＵＲＬを取得するブラウザ閲覧履歴取得装置において、複数のＵＲＬを記憶する記憶手段と、上記記憶されているＵＲＬをリンク先として記述したＨＴＭＬ文書を、ブラウザ上に表示させ、また、過去に表示したリンク先を所定の表示スタイルで表示させる表示制御手段と、各リンク先の表示スタイルを判定することによって、上記記憶されている複数のＵＲＬのうちで、過去に表示したＵＲＬを抽出するＵＲＬ抽出手段とを有するブラウザ閲覧履歴取得装置である。
【発明の効果】
【００２２】
本発明によれば、ユーザの端末に特別なソフトウェアを導入せずに、また特定のサーバのページ、または特定の端末からのアクセスという制約なしに、ブラウザが過去に表示したページのＵＲＬを取得できるという効果を奏する。
【発明を実施するための最良の形態】
【００２３】
発明を実施するための最良の形態は、以下の実施例である。
【実施例１】
【００２４】
図１は、本発明の実施例１であるブラウザ閲覧履歴取得装置１００を示すブロック図である。
【００２５】
ブラウザ閲覧履歴取得装置１００は、ブラウザ３０と、履歴取得サーバ４０と、外部サーバ５０とを有する。
【００２６】
ブラウザ３０は、リンクスタイルチェック部３１と、リンクＨＴＭＬ読み込み部３２とを有する。
【００２７】
リンクスタイルチェック部３１、リンクＨＴＭＬ読み込み部３２は、いずれもブラウザ側にＪａｖａ（登録商標）Ｓｃｒｉｐｔを用いて実装される。
【００２８】
履歴取得サーバ４０は、ＨＴＭＬ取得部４１と、ＨＴＭＬ解析部４２と、リンクＨＴＭＬ生成部４３と、初期ＵＲＬセット部４４と、属性保存記憶部４５とを有する。
【００２９】
外部サーバ５０は、ウェブサーバ５１を有する。
【００３０】
ＨＴＭＬ解析部４２は、ページの属性抽出を併せて行い、抽出された属性を保存する。リンクＨＴＭＬ生成部４３は、ＵＲＬセットからリンクＨＴＭＬを生成する。リンクＨＴＭＬを生成する場合、初回は初期ＵＲＬセット部４４を、その後、ＨＴＭＬ取得部４１が、外部のウェブサーバ５１から取得したＨＴＭＬから、ＨＴＭＬ解析部４２を通して抽出されたＵＲＬセットが用いられる。
【００３１】
リンクＨＴＭＬ生成部４３で生成されたＨＴＭＬは、リンクＨＴＭＬ読み込み部３２に読み込まれる。読み込み完了後に、リンクスタイルチェック部３１は、読み込んだ各リンクのスタイルをチェックし、既読のスタイルか否かを判定する。
【００３２】
図２は、リンクスタイルチェック部３１のＪａｖａ（登録商標）Ｓｃｒｉｐｔによる実装例を示す図である。
【００３３】
既読のスタイルである場合は、リンク先のＵＲＬをＨＴＭＬ取得部４１へ通知する。ＨＴＭＬ取得部４１はリンク先のページを取得し、このページを対象として履歴取得処理を行う。
【００３４】
リンクスタイルチェック部３１、リンクＨＴＭＬ読み込み部３２は、いずれも任意のページにＪａｖａ（登録商標）Ｓｃｒｉｐｔを用いて実装できる。すなわち、ユーザがブラウザによってこれらが実装されたページにアクセスすると、自動的に一連の処理が実行されサーバ側にブラウザの閲覧履歴が蓄積される。
【００３５】
また、リンクＨＴＭＬ読み込み部３２は、ＨＴＭＬを隠し、ｆｒａｍｅ（ｉｆｒａｍｅ）に読み込むように実装することによって、本実施例全体の処理をユーザに意識させることなく、実行できる。
【００３６】
図３は、ブラウザ閲覧履歴取得装置１００の動作を示すフローチャートである。
【００３７】
図３に示す動作は、取得したいユーザの興味分野を自動車に絞った例についての動作である。
【００３８】
図４は、ＵＲＬの初期セットＳ（０）を示す図である。
【００３９】
図５は、Ｓ（０）から生成したＨＴＭＬ＝Ｈ（０）を示す図である。
【００４０】
まず、自動車に興味があるユーザが閲覧する可能性が高いページのＵＲＬの集合として、図４に示す初期セットＳ（０）を用意する（Ｓ２）。このＵＲＬセットＳ（０）から、図５に示すＨＴＭＬソースＨ（０）を生成する（Ｓ３）。
【００４１】
図６は、ブラウザに表示したＨＴＭＬソースＨ（０）を示す図である。
【００４２】
次に、上記実施例の動作について説明する。
【００４３】
このＨＴＭＬソースでは、ｓｔｙｌｅタグによって、既読リンクの表示高さが、基準値の２００％となるよう指定されているので、ブラウザでは、図６に示すように表示される（Ｓ４）。つまり、図５に示すＨＴＭＬソースでは、ｓｔｙｌｅタグによって、過去の一定期間（ブラウザで設定可能）内に閲覧したＵＲＬに対応するリンクのフォントサイズを、デフォルトのフォントサイズの２倍の大きさで表示するよう指定されている。図６は、３番目のリンクが過去に閲覧したＵＲＬに対応している例であり、このリンクが他のリンクの表示フォントサイズの２倍の大きさで表示されている。
【００４４】
各リンクの表示高さを取得することによって、そのリンクが既読であるかどうかを判定することができる（Ｓ７、Ｓ８）。
【００４５】
上記「リンクの表示高さ」を、ブラウザで動作するスクリプト言語Ｊａｖａ（登録商標）Ｓｃｒｉｐｔによって取得することができる。この例として、「David Flanagan著「Java(登録商標)Script:The Definitive Guide」O'Reilly(2006)」があり、この例では、３番目のリンク、すなわちＬ（０，２）が、既読リンクとして抽出される。
【００４６】
図７は、Ｌ（０，２）のリンク先のページＰ（０，２）を示す図である。
【００４７】
既読リンクが抽出されたら、次に、このリンクのリンク先ページＰ（０，２）を取得する（Ｓ９）。この段階で、取得したページの属性を抽出することができる（Ｓ１０）。たとえば、ページのタイトルは、このページを閲覧したユーザの興味を示すキーワードとして有効である。同様に、リンク元ページの既読リンクのアンカーテキストも、ユーザの興味を示すキーワードとして有効である。
【００４８】
リンクを辿ったときの深さが、規定値ｄｍａｘを超えていなければ（Ｓ１１）、さらにこのページＰ（０，２）に記述されているリンクのうちで、どのリンクが既読であるかを、次の手順に従って判定することができる。
【００４９】
図８は、リンク先ページＰ（０，２）のリンクから抽出したＵＲＬセットＳ（１）を示す図である。
【００５０】
まず、リンク先ページＰ（０，２）に記述されているリンクから、図８のようなＵＲＬセットＳ（１）を抽出することができる。この後は、ステップＳ３に戻り、同じ処理を再帰的に実行することによって、最終的に、既読リンクと、これに関連するページ属性とを全て取得することができる。
【００５１】
リンクＨＴＭＬ生成部４３は、ＵＲＬセットからリンクＨＴＭＬを生成する（Ｓ３）。リンクＨＴＭＬを生成する場合、初回は初期ＵＲＬセット部４４を、その後、ＨＴＭＬ取得部４１が、外部のウェブサーバ５１から取得したＨＴＭＬから（Ｓ９）、ＨＴＭＬ解析部４２を通して抽出された（Ｓ１２）ＵＲＬセットが用いられる。ＨＴＭＬ解析部４２は、これとともに、ページの属性を抽出し、この抽出された属性を、属性保存記憶部４５へ保存する（Ｓ１０）。
【００５２】
リンクスタイルチェック部３１、リンクＨＴＭＬ読み込み部３２は、いずれもブラウザ側にＪａｖａ（登録商標）Ｓｃｒｉｐｔを用いて実装される。リンクＨＴＭＬ生成部４３で生成されたＨＴＭＬは、リンクＨＴＭＬ読み込み部３２に読み込まれる。読み込み完了後、リンクスタイルチェック部３１は、読み込んだ各リンクのスタイルをチェックし（Ｓ７）、既読のスタイルか否かを判定する（Ｓ８）。リンクスタイルチェック部３１のＪａｖａ（登録商標）Ｓｃｒｉｐｔによる実装例を図２に示す。既読のスタイルである場合は、リンク先のＵＲＬをＨＴＭＬ取得部４１へ通知する。ＨＴＭＬ取得部４１は、リンク先のページを取得し（Ｓ９）、このページを対象として履歴取得処理を行う。
【００５３】
リンクスタイルチェック部３１、リンクＨＴＭＬ読み込み部３２は、いずれも任意のページにＪａｖａ（登録商標）Ｓｃｒｉｐｔを用いて実装できる。すなわち、ユーザがブラウザによってこれらが実装されたページにアクセスすると、自動的に一連の処理が実行されサーバ側にブラウザの閲覧履歴が蓄積される。
【００５４】
また、リンクＨＴＭＬ読み込み部３２は、ＨＴＭＬを隠しｆｒａｍｅ（ｉｆｒａｍｅ）に読み込むように実装することによって、本実施例全体の処理をユーザに意識させることなく、実行できる。
【００５５】
図９は、本発明の実施例を示すブロック図である。
【００５６】
図９に示す実施例と、図１２〜図１４に示す従来例の構成とを比較すると、図１２〜図１４に示す従来例では、背景技術で記載した問題があるが、図９に示す実施例では、不特定の端末を対象に、履歴を取得することができる。
【００５７】
上記フローチャートと上記装置構成とによれば、図９に示すように、ユーザの端末にブラウザ以外の特別なソフトウェアを導入せずに、また特定のサーバのページ、または特定の端末からのアクセス等の制約なしに、ブラウザが過去に表示したページのＵＲＬを取得できる。
【００５８】
上記実施例は、ユーザが実際にどのページを閲覧したのかが分かり、ユーザの興味分野を具体的に把握できるので、ユーザの行動履歴に応じて適切な広告を提示する行動分析型ターゲット広告（BTA、Behavioral Targeting Ad）へ適用することによって、より効果的な広告配信を可能とする技術である。
【００５９】
つまり、注目する興味分野に関連する複数のＵＲＬを予め用意し、これらのＵＲＬをリンク先として記述したＨＴＭＬをブラウザ上に表示させる。この場合、過去に表示したことがあるリンク先を所定のスタイルで表示させて、各リンク先の表示スタイルを判定することによって、当初用意した複数のＵＲＬのうちで、過去に表示したＵＲＬを抽出する。
【００６０】
抽出されたＵＲＬについては、さらに当該ＵＲＬのページに記述されているリンクのＵＲＬをリンク先として記述したＨＴＭＬについて、同様の操作を行うことによって、当該ブラウザで（多くは当該ユーザによって）過去に閲覧されたより多くのＵＲＬを抽出できる。
【００６１】
当初用意する複数のＵＲＬは、多くのブラウザでスタートページとして登録されているポータルサイトのトップページに記述されているリンクのＵＲＬとすることができる。
【００６２】
つまり、上記実施例によれば、初期のＵＲＬを与え、このＵＲＬをＷｅｂブラウザに渡すと、端末で、既読／未読を判定することができる。
【００６３】
また、上記実施例によれば、既読であれば、そのＵＲＬからのリンク先を対象に、再帰的に繰り返すことによって、端末での既読／未読すなわち閲覧履歴を取得することができる。
【００６４】
図１０は、Ｓ（１）から生成したＨＴＭＬ＝Ｈ（１）を示す図である。
【００６５】
図１１は、ブラウザに表示したＨ（１）を示す図である。
【００６６】
すなわち、上記実施例は、ブラウザが過去に表示したページのＵＲＬを取得するブラウザ閲覧履歴取得装置において、複数のＵＲＬを記憶する記憶手段と、上記記憶されているＵＲＬをリンク先として記述したＨＴＭＬ文書を、ブラウザ上に表示させ、また、過去に表示したリンク先を所定の表示スタイルで表示させる表示制御手段と、各リンク先の表示スタイルを判定することによって、上記記憶されている複数のＵＲＬのうちで、過去に表示したＵＲＬを抽出するＵＲＬ抽出手段とを有するブラウザ閲覧履歴取得装置の例である。
【００６７】
この場合、上記ＵＲＬ抽出手段は、抽出されたＵＲＬのページに記述されているリンクのＵＲＬについて、各リンク先の表示スタイルを判定することによって、当該ブラウザで過去に閲覧されたＵＲＬよりも多くのＵＲＬを抽出する手段である。また、上記記憶手段に最初に記憶する複数のＵＲＬは、複数のブラウザでスタートページとして登録されているポータルサイトのトップページに記述されているリンクのＵＲＬである。
【００６８】
また、上記実施例を方法の発明として把握することができる。つまり、上記実施例は、ブラウザが過去に表示したページのＵＲＬを取得するブラウザ閲覧履歴取得方法において、複数のＵＲＬを記憶手段に記憶する記憶工程と、上記記憶されているＵＲＬをリンク先として記述したＨＴＭＬ文書を、表示制御手段が、ブラウザ上に表示させ、また、過去に表示したリンク先を所定の表示スタイルで表示させる表示制御工程と、ＵＲＬ抽出手段が、各リンク先の表示スタイルを判定することによって、上記記憶されている複数のＵＲＬのうちで、過去に表示したＵＲＬを抽出し、記憶装置に記憶するＵＲＬ抽出工程とを有するブラウザ閲覧履歴取得方法の例である。
【００６９】
この場合、上記ＵＲＬ抽出工程は、抽出されたＵＲＬのページに記述されているリンクのＵＲＬについて、各リンク先の表示スタイルを判定することによって、当該ブラウザで過去に閲覧されたＵＲＬよりも多くのＵＲＬを抽出する工程である。また、上記記憶工程で最初に記憶する複数のＵＲＬは、複数のブラウザでスタートページとして登録されているポータルサイトのトップページに記述されているリンクのＵＲＬである。
【００７０】
さらに、上記ブラウザ閲覧履歴取得装置を構成する各手段としてコンピュータを機能させるプログラムを構築するようにしてもよい。また、上記プログラムを記録したコンピュータ読取可能な記録媒体を想定するようにしてもよい。この場合、ＣＤ、ＤＶＤ、ハードディスク、光ディスク、光磁気ディスク、半導体メモリ等を、上記記録媒体として使用してもよい。
【図面の簡単な説明】
【００７１】
【図１】本発明の実施例１であるブラウザ閲覧履歴取得装置１００を示すブロック図である。
【図２】リンクスタイルチェック部３１のＪａｖａ（登録商標）Ｓｃｒｉｐｔによる実装例を示す図である。
【図３】ブラウザ閲覧履歴取得装置１００の動作を示すフローチャートである。
【図４】ＵＲＬの初期セットＳ（０）を示す図である。
【図５】Ｓ（０）から生成したＨＴＭＬ＝Ｈ（０）を示す図である。
【図６】ブラウザに表示したＨＴＭＬソースＨ（０）を示す図である。
【図７】Ｌ（０，２）のリンク先のページＰ（０，２）を示す図である。
【図８】リンク先ページＰ（０，２）のリンクから抽出したＵＲＬセットＳ（１）を示す図である。
【図９】本発明の実施例を示すブロック図である。
【図１０】Ｓ（１）から生成したＨＴＭＬ＝Ｈ（１）を示す図である。
【図１１】ブラウザに表示したＨ（１）を示す図である。
【図１２】従来のブラウザ閲覧履歴取得装置５００を示すブロック図である。
【図１３】従来のブラウザ閲覧履歴取得装置６００を示すブロック図である。
【図１４】従来のブラウザ閲覧履歴取得装置７００を示すブロック図である。
【符号の説明】
【００７２】
１００…ブラウザ閲覧履歴取得装置、
３０…ブラウザ、
３１…リンクスタイルチェック部、
３２…リンクＨＴＭＬ読み込み部、
４０…履歴取得サーバ、
４１…ＨＴＭＬ取得部、
４２…ＨＴＭＬ解析部、
４３…リンクＨＴＭＬ生成部、
４４…初期ＵＲＬセット部。
【図１】
2009116490.tif 000003
【図２】
2009116490.tif 000004
【図３】
2009116490.tif 000005
【図４】
2009116490.tif 000006
【図５】
2009116490.tif 000007
【図６】
2009116490.tif 000008
【図７】
2009116490.tif 000009
【図８】
2009116490.tif 000010
【図９】
2009116490.tif 000011
【図１０】
2009116490.tif 000012
【図１１】
2009116490.tif 000013
【図１２】
2009116490.tif 000014
【図１３】
2009116490.tif 000015
【図１４】
2009116490.tif 000016